(57)【要約】【課題】  ユーザが面倒な作業を行うことなく、効率よくプリントサービス等の提供を受けることができるようにする。【解決手段】  レコーダ３に保存された画像データのプリント注文のための注文情報を含む注文リクエストおよび携帯電話１の識別コードを携帯電話１から携帯サイトサーバ５に送信する。サーバ５は、ユニークＩＤを発行し、ユニークＩＤ、識別コードから得られるユーザ情報および注文情報をサービス提供サーバ７へ送信する。サーバ７はこれを登録する。ユニークＩＤは携帯電話１にも送信され、携帯電話１はユニークＩＤをレコーダ３に送信する。レコーダ３はユニークＩＤと画像データをサーバ７に送信する。サーバ７はユニークＩＤを用いて注文と画像データとを対応づけて画像データをプリント出力する。【選択図】          図１
2006003933.tif 000002
【特許請求の範囲】
【請求項１】
各種情報を送受信する通信手段と、
該通信手段が受信した各種情報に応じたサービスを提供する情報処理手段と、
ユーザを特定可能な第１の装置から送信された、該ユーザを識別するユーザ識別情報およびサービス提供のリクエストを含む第１の情報並びにユーザを特定不可能な第２の装置から送信された第２の情報を受信し、識別情報に基づいて前記第１の情報および前記第２の情報を関連づけた前記サービスを提供するよう、前記通信手段および前記情報処理手段を制御する制御手段とを備えたことを特徴とする情報処理装置。
【請求項２】
前記制御手段は、前記第１の情報および前記第２の情報を関連づける処理を、前記第１の装置、前記第２の装置または自身が発行した前記識別情報に基づいて行う手段であることを特徴とする請求項１記載の情報処理装置。
【請求項３】
前記サービス提供のリクエストが画像のプリント注文のリクエストであり、前記第２の情報が前記プリント注文を行う画像を表す画像データである場合において、前記制御手段は、前記プリント注文のリクエストと前記画像データとを関連づけて前記画像データをプリント出力するプリントサービスを提供する手段であることを特徴とする請求項１または２記載の情報処理装置。
【請求項４】
前記制御手段は、前記第１の情報に含まれる前記ユーザ識別情報に基づいて、該第１の情報を送信したユーザに対する前記サービスについての課金情報を生成する手段であることを特徴とする請求項１から３のいずれか１項記載の情報処理装置。
【請求項５】
ユーザを識別するユーザ識別情報を記録する記録手段と、
請求項１から４のいずれか１項記載の情報処理装置と通信を行う第１の通信手段と、
第２の情報を保存する情報蓄積装置と通信を行う第２の通信手段とを備えた携帯端末装置において、
前記情報処理装置に送信する第２の情報を指定する処理を前記情報蓄積装置に対して行い、前記ユーザ識別情報およびサービス提供のリクエストを含む第１の情報を前記情報処理装置に送信し、前記情報処理装置が送信した前記第２の情報の送信先を表す送信先情報を受信し、該送信先情報を前記情報蓄積装置に送信し、前記第１の情報を識別する識別情報とともに前記指定した第２の情報を前記送信先に送信する指示を前記情報蓄積装置に対して行うよう、前記記録手段、前記第１の通信手段および第２の通信手段を制御する制御手段とを備えたことを特徴とする携帯端末装置。
【請求項６】
請求項１から４のいずれか１項記載の情報処理装置と通信を行う第１の通信手段と、
請求項５記載の携帯端末装置と通信を行う第２の通信手段と、
第２の情報を記録する記録手段とを備えた情報蓄積装置において、
前記携帯端末装置による前記情報処理装置に送信する第２の情報を指定する処理を受け付け、前記携帯端末装置が送信した、前記第２の情報の送信先を表す送信先情報および前記第１の情報を識別する識別情報とともに前記指定された第２の情報を前記送信先に送信する指示を受信し、前記識別情報および前記指定された第２の情報を前記送信先に送信するよう、前記記録手段、前記第１の通信手段および第２の通信手段を制御する制御手段とを備えたことを特徴とする情報蓄積装置。
【請求項７】
ユーザを識別するユーザ識別情報およびサービス提供のリクエストを含む第１の情報を送信する、ユーザを特定可能な第１の装置と、
第２の情報を保存し、該第２の情報を送信する、ユーザを特定不可能な第２の装置と、
請求項１から４のいずれか１項記載の情報処理装置とを備えたことを特徴とする情報処理システム。
【請求項８】
前記第１の装置が、請求項５記載の携帯端末装置であることを特徴とする請求項７記載の情報管理システム。
【請求項９】
前記第２の装置が、請求項６記載の情報蓄積装置であることを特徴とする請求項７または８記載の情報処理システム。
【請求項１０】
各種情報を送受信する通信手段と、
該通信手段が受信した各種情報に応じたサービスを提供する情報処理手段とを備えた情報処理装置における情報処理方法において、
ユーザを特定可能な第１の装置から送信された、該ユーザを識別するユーザ識別情報およびサービス提供のリクエストを含む第１の情報並びにユーザを特定不可能な第２の装置から送信された第２の情報を受信し、
識別情報に基づいて前記第１の情報および前記第２の情報を関連づけたサービスを提供することを特徴とする情報処理方法。
【請求項１１】
前記第１の情報に含まれる前記ユーザ識別情報に基づいて、該第１の情報を送信したユーザに対する前記サービスについての課金情報を生成することを特徴とする請求項１０記載の情報処理方法。
【請求項１２】
ユーザを識別するユーザ識別情報を記録する記録手段と、
請求項１から４のいずれか１項記載の情報処理装置と通信を行う第１の通信手段と、
第２の情報を保存する情報蓄積装置と通信を行う第２の通信手段とを備えた携帯端末装置における情報処理方法において、
前記情報処理装置に送信する第２の情報を指定する処理を前記情報蓄積装置に対して行い、
前記ユーザ識別情報およびサービス提供のリクエストを含む第１の情報を前記情報処理装置に送信し、
前記情報処理装置が送信した前記第２の情報の送信先を表す送信先情報を受信し、
該送信先情報を前記情報蓄積装置に送信し、
前記第１の情報を識別する識別情報とともに前記指定した第２の情報を前記送信先に送信する指示を前記情報蓄積装置に対して行うことを特徴とする情報処理方法。
【請求項１３】
請求項１から４のいずれか１項記載の情報処理装置と通信を行う第１の通信手段と、
請求項５記載の携帯端末装置と通信を行う第２の通信手段と、
第２の情報を記録する記録手段とを備えた情報蓄積装置における情報処理方法において、
前記携帯端末装置による前記情報処理装置に送信する第２の情報を指定する処理を受け付け、
前記携帯端末装置が送信した、前記第２の情報の送信先を表す送信先情報および前記第１の情報を識別する識別情報とともに前記指定された第２の情報を前記送信先に送信する指示を受信し、
前記識別情報および前記指定された第２の情報を前記送信先に送信することを特徴とする情報処理方法。
【請求項１４】
各種情報を送受信する通信手段と、
該通信手段が受信した各種情報に応じたサービスを提供する情報処理手段とを備えた情報処理装置における情報処理方法をコンピュータに実行させるためのプログラムにおいて、
ユーザを特定可能な第１の装置から送信された、該ユーザを識別するユーザ識別情報およびサービス提供のリクエストを含む第１の情報並びにユーザを特定不可能な第２の装置から送信された第２の情報を受信する手順と、
識別情報に基づいて前記第１の情報および前記第２の情報を関連づけたサービスを提供する手順とを有することを特徴とするプログラム。
【請求項１５】
前記第１の情報に含まれる前記ユーザ識別情報に基づいて、該第１の情報を送信したユーザに対する前記サービスについての課金情報を生成する手順をさらに有することを特徴とする請求項１６記載のプログラム。
【請求項１６】
ユーザを識別するユーザ識別情報を記録する記録手段と、
請求項１から４のいずれか１項記載の情報処理装置と通信を行う第１の通信手段と、
第２の情報を保存する情報蓄積装置と通信を行う第２の通信手段とを備えた携帯端末装置における情報処理方法をコンピュータに実行させるためのプログラムにおいて、
前記情報処理装置に送信する第２の情報を指定する処理を前記情報蓄積装置に対して行う手順と、
前記ユーザ識別情報およびサービス提供のリクエストを含む第１の情報を前記情報処理装置に送信する手順と、
前記情報処理装置が送信した前記第２の情報の送信先を表す送信先情報を受信する手順と、
該送信先情報を前記情報蓄積装置に送信する手順と、
前記第１の情報を識別する識別情報とともに前記指定した第２の情報を前記送信先に送信する指示を前記情報蓄積装置に対して行う手順とを有することを特徴とするプログラム。
【請求項１７】
請求項１から４のいずれか１項記載の情報処理装置と通信を行う第１の通信手段と、
請求項５記載の携帯端末装置と通信を行う第２の通信手段と、
第２の情報を記録する記録手段とを備えた情報蓄積装置における情報処理方法をコンピュータに実行させるためのプログラムにおいて、
前記携帯端末装置による前記情報処理装置に送信する第２の情報を指定する処理を受け付ける手順と、
前記携帯端末装置が送信した、前記第２の情報の送信先を表す送信先情報および前記第１の情報を識別する識別情報とともに前記指定された第２の情報を前記送信先に送信する指示を受信する手順と、
前記識別情報および前記指定された第２の情報を前記送信先に送信する手順とを有することを特徴とするプログラム。
【発明の詳細な説明】
【技術分野】
【０００１】
本発明は、各種装置から送信された情報に応じたサービスを提供する情報処理装置、携帯端末装置、情報蓄積装置、情報処理システム、情報処理方法および情報処理方法をコンピュータに実行させるためのプログラムに関するものである。
【背景技術】
【０００２】
ＤＶＤ／ＨＤＤレコーダのように、画像データを保存することが可能なデジタル家電が普及しており、このようなデジタル家電をホームサーバとして機能させることが可能である。例えば、テレビ番組を保存することはもちろん、レコーダにメモリカードスロットルを設け、デジタルカメラにより取得した画像データをレコーダに保存したり、ＵＳＢ等のインターフェースを介してデジタルカメラと接続して画像データを保存することが可能となっている。このようなレコーダは大容量のＨＤＤを備えているため、大量の画像データを保存することが可能である。
【０００３】
また、イーサネット（登録商標）端子を備えたレコーダも提案されており、このようなレコーダでは、家庭内のブロードバンドルータからインターネットに接続し、サーバからテレビ番組表を入手してテレビ番組の予約録画を簡単に行うことができるようになっている。
【０００４】
このようなレコーダは、パソコンと同様にレコーダ内部のソフトウェアに応じて様々な機能を実現することができる。例えば、特定のサーバから画像データや動画像データをダウンロードしたり、逆に保存した画像データや動画像データを特定のサーバにアップロードすることが可能である。このため、テレビを用いてユーザインターフェースを表示し、そこから画像データを保存するサーバにアクセスして画像データをダウンローする用途、あるいはレコーダに保存された画像データをプリントサービスを提供するサーバにアップロードして、画像データのプリント注文を行う用途にレコーダを用いることが考えられる。
【０００５】
一方、デジタルカメラを搭載したカメラ付き携帯電話の普及により、携帯電話に画像データを保存してプリントサービスを提供するサーバにアップロードして、画像データのプリント注文を行うシステムが提案されている（特許文献１，２参照）。
【０００６】
また、プリントサービスを提供するサーバにおいても各種サービスが提供されている。例えば、ユーザが送信した画像データを一定期間保存しておき、保存した画像データについてのプリント注文があった場合には保存されている画像データを使用するシステム（特許文献３参照）、および画像データを受信する際には、所定の情報が付与されている画像データのみを受信することにより、受信する画像データを制限するようにしたシステムも提案されている（特許文献４参照）。
【特許文献１】特開２００２−２５１３５５号公報
【特許文献２】特開２００３−２６３４７１号公報
【特許文献３】特開２００２−１３３１３３号公報
【特許文献４】特開２００３−１１１００８号公報
【発明の開示】
【発明が解決しようとする課題】
【０００７】
ところで、上述したレコーダからプリント注文を行うような場合、レコーダにはユーザの氏名、住所、電話番号、料金の支払い方法等を特定する情報を保存していない。このため、ユーザは注文を行う毎にこれらの情報を入力してサーバに送信する必要があり、その作業が非常に面倒である。
【０００８】
一方、携帯電話は携帯電話の番号によりユーザを特定でき、しかも携帯電話のキャリア会社を通じてユーザに対して課金を行うことができるため、サーバにおいてはプリント注文についての課金管理を行いやすい。しかしながら、携帯電話の回線はブロードバンド回線と比較すると帯域が狭く、大量の画像データのプリント注文を行うには不向きである。
【０００９】
本発明は上記事情に鑑みなされたものであり、面倒な作業を行うことなく、効率よくプリント注文等のサービスの提供を受けることができるようにすることを目的とする。
【課題を解決するための手段】
【００１０】
本発明による情報処理装置は、各種情報を送受信する通信手段と、
該通信手段が受信した各種情報に応じたサービスを提供する情報処理手段と、
ユーザを特定可能な第１の装置から送信された、該ユーザを識別するユーザ識別情報およびサービス提供のリクエストを含む第１の情報並びにユーザを特定不可能な第２の装置から送信された第２の情報を受信し、識別情報に基づいて前記第１の情報および前記第２の情報を関連づけた前記サービスを提供するよう、前記通信手段および前記情報処理手段を制御する制御手段とを備えたことを特徴とするものである。
【００１１】
なお、本発明による情報処理装置においては、前記制御手段を、前記第１の情報および前記第２の情報を関連づける処理を、前記第１の装置、前記第２の装置または自身が発行した前記識別情報に基づいて行う手段としてもよい。
【００１２】
ここで、第１の装置が識別情報を発行した場合、第１の装置が識別情報を第１の情報とともに情報処理装置に送信し、第２の情報を送信する指示とともに識別情報を第２の装置に送信する。
【００１３】
また、情報処理装置が識別情報を発行した場合、情報処理装置が識別情報を第１の装置に送信し、第１の装置が第２の情報を送信する指示とともに、受信した識別情報を第２の装置に送信する。
【００１４】
また、第２の装置が識別情報を発行した場合、第２の装置が識別情報を第２の情報とともに情報処理装置に送信し、識別情報を第１の装置に送信するまたは第２の装置に接続された表示手段に表示する。
【００１５】
また、本発明による情報処理装置においては、前記サービス提供のリクエストが画像のプリント注文のリクエストであり、前記第２の情報が前記プリント注文を行う画像を表す画像データである場合において、前記制御手段を、前記プリント注文のリクエストと前記画像データとを関連づけて前記画像データをプリント出力するプリントサービスを提供する手段としてもよい。
【００１６】
また、本発明による情報処理装置においては、前記制御手段を、前記第１の情報に含まれる前記ユーザ識別情報に基づいて、該第１の情報を送信したユーザに対する前記サービスについての課金情報を生成する手段としてもよい。
【００１７】
本発明による携帯端末装置は、ユーザを識別するユーザ識別情報を記録する記録手段と、
本発明の情報処理装置と通信を行う第１の通信手段と、
第２の情報を保存する情報蓄積装置と通信を行う第２の通信手段とを備えた携帯端末装置において、
前記情報処理装置に送信する第２の情報を指定する処理を前記情報蓄積装置に対して行い、前記ユーザ識別情報およびサービス提供のリクエストを含む第１の情報を前記情報処理装置に送信し、前記情報処理装置が送信した前記第２の情報の送信先を表す送信先情報を受信し、該送信先情報を前記情報蓄積装置に送信し、前記第１の情報を識別する識別情報とともに前記指定した第２の情報を前記送信先に送信する指示を前記情報蓄積装置に対して行うよう、前記記録手段、前記第１の通信手段および第２の通信手段を制御する制御手段とを備えたことを特徴とするものである。
【００１８】
なお、本発明による携帯端末装置においては、前記識別情報を、前記情報処理装置、前記情報蓄積装置または自身により発行されたものとしてもよい。
【００１９】
本発明による情報蓄積装置は、本発明の情報処理装置と通信を行う第１の通信手段と、
本発明の携帯端末装置と通信を行う第２の通信手段と、
第２の情報を記録する記録手段とを備えた情報蓄積装置において、
前記携帯端末装置による前記情報処理装置に送信する第２の情報を指定する処理を受け付け、前記携帯端末装置が送信した、前記第２の情報の送信先を表す送信先情報および前記第１の情報を識別する識別情報とともに前記指定された第２の情報を前記送信先に送信する指示を受信し、前記識別情報および前記指定された第２の情報を前記送信先に送信するよう、前記記録手段、前記第１の通信手段および第２の通信手段を制御する制御手段とを備えたことを特徴とするものである。
【００２０】
なお、本発明による情報蓄積装置においては、前記識別情報を、前記情報処理装置、前記情報蓄積装置または自身により発行されたものとしてもよい。
【００２１】
本発明による情報処理システムは、ユーザを識別するユーザ識別情報およびサービス提供のリクエストを含む第１の情報を送信する、ユーザを特定可能な第１の装置と、
第２の情報を保存し、該第２の情報を送信する、ユーザを特定不可能な第２の装置と、
本発明の情報処理装置とを備えたことを特徴とするものである。
【００２２】
なお、本発明による情報処理システムにおいては、前記第１の装置を、本発明の携帯端末装置としてもよく、前記第２の装置を、本発明の情報蓄積装置としてもよい。
【００２３】
本発明による第１の情報処理方法は、各種情報を送受信する通信手段と、
該通信手段が受信した各種情報に応じたサービスを提供する情報処理手段とを備えた情報処理装置における情報処理方法において、
ユーザを特定可能な第１の装置から送信された、該ユーザを識別するユーザ識別情報およびサービス提供のリクエストを含む第１の情報並びにユーザを特定不可能な第２の装置から送信された第２の情報を受信し、
識別情報に基づいて前記第１の情報および前記第２の情報を関連づけたサービスを提供することを特徴とするものである。
【００２４】
なお、本発明による第１の情報処理方法においては、前記第１の情報に含まれる前記ユーザ識別情報に基づいて、該第１の情報を送信したユーザに対する前記サービスについての課金情報を生成するようにしてもよい。
【００２５】
本発明による第２の情報処理方法は、ユーザを識別するユーザ識別情報を記録する記録手段と、
本発明の情報処理装置と通信を行う第１の通信手段と、
第２の情報を保存する情報蓄積装置と通信を行う第２の通信手段とを備えた携帯端末装置における情報処理方法において、
前記情報処理装置に送信する第２の情報を指定する処理を前記情報蓄積装置に対して行い、
前記ユーザ識別情報およびサービス提供のリクエストを含む第１の情報を前記情報処理装置に送信し、
前記情報処理装置が送信した前記第２の情報の送信先を表す送信先情報を受信し、
該送信先情報を前記情報蓄積装置に送信し、
前記第１の情報を識別する識別情報とともに前記指定した第２の情報を前記送信先に送信する指示を前記情報蓄積装置に対して行うことを特徴とするものである。
【００２６】
本発明による第３の情報処理方法は、本発明の情報処理装置と通信を行う第１の通信手段と、
本発明の携帯端末装置と通信を行う第２の通信手段と、
第２の情報を記録する記録手段とを備えた情報蓄積装置における情報処理方法において、
前記携帯端末装置による前記情報処理装置に送信する第２の情報を指定する処理を受け付け、
前記携帯端末装置が送信した、前記第２の情報の送信先を表す送信先情報および前記第１の情報を識別する識別情報とともに前記指定された第２の情報を前記送信先に送信する指示を受信し、
前記識別情報および前記指定された第２の情報を前記送信先に送信することを特徴とするものである。
【００２７】
なお、本発明による第１から第３の情報処理方法をコンピュータに実行させるためのプログラムとして提供してもよい。
【発明の効果】
【００２８】
本発明によれば、ユーザを特定可能な第１の装置から送信された、ユーザ識別情報およびサービス提供のリクエストを含む第１の情報並びにユーザを特定不可能な第２の装置から送信された第２の情報が情報処理装置において受信される。そして、識別情報に基づいて第１および第２の情報が関連づけられたサービスが提供される。このため、ユーザは単に第１および第２の情報をサーバに送信する作業を行うのみで、第１および第２の情報を関連づけたサービスの提供を受けることができる。
【００２９】
また、第１および第２の情報を関連づける処理を、第１の装置、第２の装置または情報処理装置が発行した識別情報に基づいて行うことにより、第１および第２の情報を関連づける処理を容易に行うことができる。
【００３０】
また、第１の情報をプリント注文を依頼する情報、第２の情報をプリント注文を行う画像を表す画像データとした場合において、プリント注文を依頼する情報と画像データとを関連づけてプリント出力するプリントサービスを提供することにより、ユーザはプリントを依頼する情報および画像データを送信する作業を行うのみで、プリントサービスを受けることができる。
【００３１】
また、第１の情報に含まれるユーザ識別情報に基づいて、第１の情報を送信したユーザに対するサービスについての課金を行うことにより、ユーザに対して容易に課金を行うことができる。
【発明を実施するための最良の形態】
【００３２】
以下、図面を参照して本発明の実施形態について説明する。図１は本発明の実施形態による情報処理システムを適用したプリントシステムの構成を示す概略ブロック図である。図１に示すように、本発明の実施形態によるプリントシステムは、携帯電話１と、ＤＶＤ／ＨＤＤプレーヤ（以下プレーヤとする）３と、携帯サイトサーバ５と、サービス提供サーバ７とを備える。なお、プレーヤ３はテレビ９と接続されている。
【００３３】
図２は携帯電話の構成を示す概略ブロック図である。図２に示すように、携帯電話１には、被写体像を受光面に結像させて光電変換し、さらにＡ／Ｄ変換および画像処理等を行ってデジタルの画像データとして出力する撮像部１１と、携帯電話１全体の制御を行うとともに画像データのサンプリングタイミング制御、画像データの記録制御、通信制御および表示制御等の各種制御を行うＣＰＵ１３と、ＣＰＵ１３の動作プログラム等のソフトウェア、ユーザを識別するための識別コードおよび各種定数が記録されている領域、ＣＰＵ１３が処理を実行する際の作業領域並びに画像データを記録する領域からなるメモリ１５と、ユーザが種々の指示を携帯電話１に対して行うための入力部１７と、画像データを含む各種表示を行うＬＣＤ等からなる表示部１９と、赤外線またはブルーツース等の近距離無線通信を行う無線通信部２１とを備える。
【００３４】
また、携帯電話１は、公衆回線と無線通信することにより通話や電子メールの送受信を行うための公衆回線用無線通信部２３と、通話を行うためのマイクおよびスピーカを有する通話部２５を備える。
【００３５】
携帯電話１はこのような構成を有することにより、撮像部１１において取得した画像データをメモリ１５に保存することが可能である。また、公衆回線用無線通信部２３および通話部２５により、通話、インターネットへの接続および電子メールの送受信を行うことが可能である。また、無線通信部２１を用いて、対応する無線通信部を有する装置と無線通信を行うことが可能である。
【００３６】
図３はレコーダ３の構成を示す概略ブロック図である。図３に示すようにレコーダ３は、画像データおよび録画した動画像データを保存するためのＨＤＤおよびＤＶＤレコーダを有する記録部３１と、レコーダ３全体の制御を行うとともに、画像データおよび動画像データの記録制御、通信制御および表示制御等の各種制御を行うＣＰＵ３３と、ＣＰＵ３３の動作プログラム等のソフトウェア、各種定数が記録されている領域およびＣＰＵ３３が処理を実行する際の作業領域からなるメモリ３５と、ユーザが種々の指示をレコーダ３に対して行うための入力部３７と、画像データおよび動画像データのデコード、エンコード等を行う処理部３９と、赤外線またはブルーツース等の近距離無線通信を行う無線通信部４１とを備える。
【００３７】
また、レコーダ３は、テレビ９に音声信号およびビデオ信号を出力するための信号出力端子４３と、インターネットと接続されたネットワーク通信インターフェース４５と、画像データが記録されたメモリカードから画像データを読み出すためのカードインターフェース４７とを備える。なお、本実施形態においては、レコーダ３はブロードバンド回線に接続されているものとする。
【００３８】
レコーダ３はこのような構成を有することにより、記録部３１に保存された画像データまたは動画像データをテレビ９に表示することが可能である。また、カードインターフェース４７からメモリカード（不図示）に記録された画像データを読み出して記録部３１に保存することが可能である。また、ネットワーク通信インターフェース４５を介してインターネットに接続して、各種情報の送受信を行うことが可能である。また、無線通信部４１を用いて、対応する無線通信部を有する装置と無線通信を行うことが可能である。
【００３９】
図４は携帯サイトサーバ５の構成を示す概略ブロック図である。図４に示すように携帯サイトサーバ５は、携帯サイトサーバ５が運営するプリント注文サイトのウェブページを携帯電話１に表示するためのデータを管理するウェブデータ管理部５１と、携帯サイトサーバ５全体の制御を行うＣＰＵ５３と、ＣＰＵ５３の動作プログラム等のソフトウェア、各種定数が記録されている領域およびＣＰＵ５３が処理を実行する際の作業領域からなるメモリ５５と、携帯サイトサーバ５の管理者が種々の指示を携帯サイトサーバ５に対して行うための入力部５７と、各種表示を行うＬＣＤ等からなる表示部５９とを備える。
【００４０】
また、携帯サイトサーバ５は、後述する注文処理を登録するための注文データベース６１と、インターネットと接続されたネットワーク通信インターフェース６３と、ユーザの住所、氏名、電話番号等のユーザ情報を登録したユーザ情報データベース６４とを備える。
【００４１】
携帯サイトサーバ５はこのような構成を有することにより、携帯電話１と通信を行ってプリント注文サイトのウェブページを携帯電話１に表示することができる。また、後述するように携帯電話１から送信された注文情報に基づく注文処理を注文データベース６１に登録することができる。
【００４２】
図５はサービス提供サーバ７の構成を示す概略ブロック図である。図５に示すようにサービス提供サーバ７は、サービス提供サーバ７のサイトのウェブページを表示するためのデータを管理するウェブデータ管理部７１と、サービス提供サーバ７全体の制御を行うＣＰＵ７３と、ＣＰＵ７３の動作プログラム等のソフトウェア、各種定数が記録されている領域およびＣＰＵ７３が処理を実行する際の作業領域からなるメモリ７５と、種々の指示をサービス提供サーバ７に対して行うための入力部７７と、各種表示を行うＬＣＤ等からなる表示部７９とを備える。
【００４３】
また、サービス提供サーバ７は、後述する注文処理を登録するための注文データベース８１と、インターネットと接続されたネットワーク通信インターフェース８３と、ネットワーク通信インターフェース８３を介して送信された画像データを含む各種データを記録する記録部８５と、画像データをプリント出力してプリントを得るプリンタ８７と、後述するように、携帯電話１のキャリア会社に送信するための、プリント注文を行ったユーザについての課金情報を生成する課金制御部８９とを備える。
【００４４】
サービス提供サーバ７はこのような構成を有することにより、パソコン、レコーダ３等と通信を行ってサービス提供サーバ７のウェブページをパソコンやレコーダ３に接続されたテレビ９に表示することができる。また、後述するように携帯電話１から携帯サイトサーバ５を介して送信された注文情報に基づく注文処理を注文データベース８１に登録することができる。また、記録部８５に送信された画像データを保存することができる。また、注文情報に応じて画像データをプリンタ８７からプリント出力することができる。また、課金制御部８９において課金情報を生成して、携帯電話１のキャリア会社に送信することができる。
【００４５】
次いで、本実施形態によるプリントサービスシステムにおいて行われる処理について説明する。図６および図７は本実施形態において行われる処理を示すフローチャートである。なお、レコーダ３の記録部３１にはカードインターフェース４７を介して、メモリカードに記録された画像データがすでに保存されているものとする。
【００４６】
まず、ユーザの操作により、携帯電話１は、レコーダ３をプリント注文モードに切り替えるための指示を無線通信部２１からレコーダ３に送信する（ステップＳＴ１）。レコーダ３は無線通信部４１によりこの指示を受信すると、記録部３１に保存されている画像の一覧をテレビの画面に表示する（ステップＳＴ２）。ユーザはテレビ９に表示された一覧画面を見ながら、携帯電話１を操作して画像を選択する。これにより、画像選択の指示がレコーダ３に送信される（ステップＳＴ３）。レコーダ３は画像選択の指示を受信し、画像の一覧において指示された画像に画像選択マークを表示する（ステップＳＴ４）。
【００４７】
図８はテレビに表示された画像の一覧画面を示す図である。図８に示すように画像の一覧画面１００には、記録部３１に保存されている画像の一覧が表示されている。また、画面をスクロールするためのスクロールバー１００Ａが表示されている。ユーザは携帯電話１からスクロールの指示をレコーダ３に行うことにより、画像の一覧画面１００をスクロールすることができる。また、選択された画像には☆印の画像選択マークが付与されている。なお、画像選択マークに代えて、選択した画像の周囲の色を変更する等、選択した画像を認識できることができれば、どのような態様で表示を行ってもよい。
【００４８】
携帯電話１はユーザが選択確定指示を入力したか否かを判定し（ステップＳＴ５）、ステップＳＴ５が否定されるとステップＳＴ３に戻る。ステップＳＴ５が肯定されるとその指示をレコーダ３に送信する。
【００４９】
レコーダ３は選択確定指示を受信すると、選択が確定した旨のメッセージ、合計画像数および画像の全容量を含むメッセージ画面をテレビ９に表示する（ステップＳＴ６）。この後レコーダ３は待機状態となる（ステップＳＴ７）。
【００５０】
図９はメッセージ画面を示す図である。図９に示すようにメッセージ画面１０１には、「選択を確定しました」のメッセージ１０１Ａ、合計画像数（ここでは３２枚）１０１Ｂおよび全容量（ここでは１０Ｍ）１０１Ｃが表示されている。
【００５１】
携帯電話１は選択確定指示をレコーダ３に送信した後、インターネット経由で携帯サイトサーバ５のプリント注文サイトに接続する（ステップＳＴ８）。そして、ユーザを識別するための識別コードおよびプリント注文のリクエストを、プリント注文サイトのウェブページから携帯サイトサーバ５にインターネット経由で送信する（ステップＳＴ９）。なお、識別コードとしては携帯電話１の電話番号を用いることができる。また、注文リクエストにはプリント枚数、プリントサイズ等の注文情報が含まれる。
【００５２】
携帯サイトサーバ５は識別コードおよび注文リクエストを受信し（ステップＳＴ１０）、注文リクエストを特定するためのユニークＩＤを発行する（ステップＳＴ１１）。ユニークＩＤとしては例えば１２８ビットの数値や記号の組み合わせ等を用いることができる。そして、携帯サイトサーバ５は、ユニークＩＤ、識別コードおよび注文リクエストに含まれる注文情報を１つの注文処理として注文データベース６１に登録する（ステップＳＴ１２）。そして、携帯サイトサーバ５は、ユーザ情報データベース６４を参照して、受信した識別コードに対応するユーザ情報を取得し、ユニークＩＤ、ユーザ情報および注文情報をサービス提供サーバ７にインターネット経由で送信する（ステップＳＴ１３）。
【００５３】
サービス提供サーバ７は、待機状態にあるが（ステップＳＴ１４）、何らかの指示を受信すると処理を開始する（ステップＳＴ１５）。ここでは、携帯サイトサーバ５が送信したユニークＩＤ、ユーザ情報および注文情報を受信し、これらを１つの注文処理として注文データベース８１に登録する（ステップＳＴ１６）。そしてステップＳＴ１４に戻る。
【００５４】
一方、携帯サイトサーバ５は、ユニークＩＤおよび画像データをアップロードするためのアップロード先のＵＲＬ（すなわちサービス提供サーバ７のＵＲＬ）を携帯電話１にインターネット経由で送信し（ステップＳＴ１７）、処理を終了する。
【００５５】
携帯電話１は、携帯サイトサーバ５が送信したユニークＩＤおよびアップロード先ＵＲＬを受信し（ステップＳＴ１８）、無線通信部２１からユニークＩＤおよびアップロード先ＵＲＬをレコーダ３に送信するとともに、アップロード開始指示を行い（ステップＳＴ１９）、処理を終了する。
【００５６】
レコーダ３は無線通信部４１により携帯電話１が送信したユニークＩＤ、アップロード先ＵＲＬおよびアップロード開始指示を受信し（ステップＳＴ２０）、ユニークＩＤおよび選択した画像データをサービス提供サーバ７へインターネット経由でアップロードする（ステップＳＴ２１）。アップロードが完了すると、「アップロードが完了しました」等のメッセージを含む完了画面をテレビ９に表示し（ステップＳＴ２２）、処理を終了する。なお、携帯電話１に直接完了画面を送信してもよい。
【００５７】
サービス提供サーバ７は、まずユニークＩＤを受信すると（ステップＳＴ１５）、受信したユニークＩＤを含む注文処理が注文データベースに登録されているか否かについて、注文データベースを検索する（ステップＳＴ２３）。そして、注文処理が登録されていない場合には、その旨をレコーダ３に通知し（ステップＳＴ２４）、ステップＳＴ１４に戻る。レコーダ３には例えば「注文処理が登録されていません」等のメッセージが表示される。この場合、レコーダ３がアップロードした画像データは受信されないこととなる。
【００５８】
ユニークＩＤが注文データベースに登録されていると、サービス提供サーバ７はレコーダ３がアップロードした画像データを受信する（ステップＳＴ２５）。そして、プリント出力処理を行う（ステップＳＴ２６）。すなわち、注文データベース８１に登録された注文情報に基づいて画像データをプリンタ８７からプリント出力してプリントを得、ユーザ情報を参照してプリントの発送工程にプリントを受け渡す処理を行う。これにより、プリントは注文を行ったユーザに配送される。
【００５９】
プリント出力処理の後、サービス提供サーバ７はユーザ情報および注文情報にしたがって、課金制御部８９によりプリント出力のサービスに対する課金情報を生成し、携帯電話１のキャリア会社に課金情報を送信し（ステップＳＴ２７）、処理を終了する。
【００６０】
携帯電話１のキャリア会社は課金情報を受信し、ユーザの携帯電話１の利用料金にプリント出力のサービスに要した料金を含めて、ユーザの口座から料金を引き落とす。引き落とした料金のうち、プリント出力のサービスに要した料金は、サービス提供サーバ７を運営する会社に還元される。
【００６１】
このように、本実施形態においては、ユーザの識別コードおよび注文情報を含む注文リクエストを携帯電話１から携帯サイトサーバ５に送信し、さらに、携帯サイトサーバ５から識別コードに対応するユーザ情報を注文情報とともにサービス提供サーバ７に送信し、プリント注文を行う画像データをレコーダ３からサービス提供サーバ７に送信し、サービス提供サーバ７において、注文情報に基づいて画像データのプリント出力を行うようにしたものである。このため、ユーザは、携帯電話１から識別コードおよび注文リクエストを送信し、画像データを保存しているレコーダ３からサービス提供サーバ７へ画像データを送信する指示を行うのみでプリントを得ることができ、これにより、効率よくプリントサービスの提供を受けることができる。
【００６２】
また、携帯サイトサーバ５においてユニークＩＤを発行し、サービス提供サーバ７においてユニークＩＤを含む注文処理を登録し、画像データとともに送信されたユニークＩＤを参照して、注文処理が登録されているか否かを判定しているため、ユーザを特定することができないために費用の回収が不可能な、注文リクエストのない画像データをプリント出力してしまうことを未然に防止することができる。
【００６３】
また、ユーザ識別情報に基づいて、携帯電話１のキャリア会社を介してユーザに課金を行っているため、プリントサービスを提供する会社は、サービス提供に要した費用を確実に回収することができる。
【００６４】
また、ブロードバンド回線に接続されたレコーダ３から画像データをアップロードしているため、ユーザは通信に要する時間を短縮して、効率よくプリントサービスの提供を受けることができる。
【００６５】
なお、上記実施形態において、サービス提供サーバ７に携帯サイトサーバ５の機能を持たせるようにしてもよい。この場合、上述したような携帯サイトサーバ５とサービス提供サーバ７との間のインターネット経由の情報のやりとりは、サービス提供サーバ７内においてローカルに行われることとなる。
【００６６】
また、上記実施形態においては、携帯サイトサーバ５がユニークＩＤを発行しているが、サービス提供サーバ７がユニークＩＤを発行してもよい。この場合、サービス提供サーバ７は、携帯サイトサーバ５からユニークＩＤ発行の指示を受けると、ユニークＩＤを発行して携帯サイトサーバ５に送信する。携帯サイトサーバ５は受信したユニークＩＤを携帯電話１に送信するとともに、受信したユニークＩＤを含む注文処理を注文データベース６１に登録する。また、携帯サイトサーバ５はユーザ情報および注文情報をサービス提供サーバ７に送信する。そして、サービス提供サーバ７は、受信したユーザ情報および注文情報を、自身が発行したユニークＩＤとともに１つの注文処理として注文データベース８１に登録する。
【００６７】
また、携帯電話１がユニークＩＤを発行してもよい。この場合、携帯電話１は、識別コードおよび注文リクエストとともにユニークＩＤを携帯サイトサーバ５に送信する。携帯サイトサーバ５は、ユニークＩＤ、識別コードおよび注文リクエストに含まれる注文情報を１つの注文処理として注文データベース６１に登録する。そして、携帯サイトサーバ５は、ユニークＩＤ、ユーザ情報および注文情報をサービス提供サーバ７にインターネット経由で送信する。また、携帯サイトサーバ５は、アップロード先ＵＲＬのみを携帯電話１に送信する。携帯電話１は携帯サイトサーバ５が送信した自身が発行したユニークＩＤをアップロード先ＵＲＬとともにレコーダ３に送信する。
【００６８】
また、レコーダ３がユニークＩＤを発行してもよい。この場合、レコーダ３は無線通信部４１からユニークＩＤを携帯電話１に送信する。なお、ユニークＩＤをテレビ９に表示し、携帯電話１のユーザに直接携帯電話１にユニークＩＤを入力させるようにしてもよい。携帯電話１は、識別コードおよび注文リクエストとともにユニークＩＤを携帯サイトサーバ５に送信する。携帯サイトサーバ５は、ユニークＩＤ、識別コードおよび注文リクエストに含まれる注文情報を１つの注文処理として注文データベース６１に登録する。そして、携帯サイトサーバ５は、ユニークＩＤ、ユーザ情報および注文情報をサービス提供サーバ７にインターネット経由で送信する。また、携帯サイトサーバ５は、アップロード先ＵＲＬのみを携帯電話１に送信する。携帯電話１はアップロード先ＵＲＬをレコーダ３に送信する。レコーダ３は、自身が発行したユニークＩＤを選択した画像データとともにアップロード先のＵＲＬに送信する。
【図面の簡単な説明】
【００６９】
【図１】本発明の実施形態による情報処理システムを提供したプリントシステムの構成を示す概略ブロック図
【図２】携帯電話の構成を示す概略ブロック図
【図３】レコーダの構成を示す概略ブロック図
【図４】携帯サイトサーバの構成を示す概略ブロック図
【図５】サービス提供サーバの構成を示す概略ブロック図
【図６】本実施形態において行われる処理を示すフローチャート（その１）
【図７】本実施形態において行われる処理を示すフローチャート（その２）
【図８】テレビに表示された画像の一覧画面を示す図
【図９】メッセージ画面を示す図
【符号の説明】
【００７０】
１    携帯電話
３    レコーダ
５    携帯サイトサーバ
７    サービス提供サーバ
９    テレビ
【図１】
2006003933.tif 000003
【図２】
2006003933.tif 000004
【図３】
2006003933.tif 000005
【図４】
2006003933.tif 000006
【図５】
2006003933.tif 000007
【図６】
2006003933.tif 000008
【図７】
2006003933.tif 000009
【図８】
2006003933.tif 000010
【図９】
2006003933.tif 000011